(57)【要約】【課題】燃焼制御のトレンドデータをメンテナンスに役立てる。【解決手段】点火装置の作動状態を示す信号Ｓ４、パイロットバーナへの燃料の供給状態を示す信号Ｓ５、メインバーナへの燃料の供給状態を示す信号Ｓ６、メインバーナへの空気の供給状態を示す信号Ｓ２、バーナ（パイロットバーナおよびメインバーナ）の火炎の強さを示す火炎検出信号Ｓ７およびこの火炎検出信号Ｓ７の値から判断される火炎の有無を示す情報Ｓ８を少なくとも含む燃焼制御情報を所定の周期で収集・蓄積し、この燃焼制御情報を燃焼制御のトレンドデータとして燃焼装置の起動から正常燃焼に至るまでの各燃焼シーケンスの時間帯Ｊ１〜Ｊ７との関係が分かる形式でグラフ表示する。【選択図】  図２
2017138018.tif 000002
【特許請求の範囲】
【請求項１】
少なくとも点火装置とバーナとを備えた燃焼装置の運転を制御するとともにその燃焼装置の運転の制御状態を監視する燃焼システムであって、
前記点火装置の作動状態を示す信号、前記バーナへの燃料の供給状態を示す信号、前記バーナへの空気の供給状態を示す信号、前記バーナの火炎の強さを示す火炎検出信号およびこの火炎検出信号の値から判断される火炎の有無を示す情報を少なくとも含む燃焼制御情報を所定の周期で収集する燃焼制御情報収集部と、
前記燃焼制御情報収集部によって収集された燃焼制御情報を時系列で蓄積する燃焼制御情報蓄積部と、
前記燃焼制御情報蓄積部に蓄積されている燃焼制御情報を燃焼制御のトレンドデータとして前記燃焼装置の起動から正常燃焼に至るまでの各燃焼シーケンスの時間帯を示す情報と合わせて出力する出力部と、
前記出力部から出力された燃焼制御のトレンドデータを前記燃焼装置の起動から正常燃焼に至るまでの各燃焼シーケンスの時間帯との関係が分かる形式で提示する提示部と
を備えることを特徴とする燃焼システム。
【請求項２】
請求項１に記載された燃焼システムにおいて、
前記燃焼装置の運転を制御する燃焼制御装置と、前記燃焼装置の運転を監視する監視装置とを備え、
前記燃焼制御装置は、
前記燃焼制御情報収集部と前記燃焼制御情報蓄積部と前記出力部とを備え、
前記監視装置は、
前記提示部を備える
ことを特徴とする燃焼システム。
【請求項３】
請求項１に記載された燃焼システムにおいて、
前記燃焼装置の運転を制御する燃焼制御装置を備え、
前記燃焼制御装置は、
前記燃焼制御情報収集部と前記燃焼制御情報蓄積部と前記出力部と前記提示部とを備える
ことを特徴とする燃焼システム。
【請求項４】
請求項１に記載された燃焼システムにおいて、
前記提示部は、さらに、
前記点火装置が作動してから前記火炎検出信号の値が所定値を超えるまでの時間を着火遅れ時間として提示する
ことを特徴とする燃焼システム。
【請求項５】
請求項１に記載された燃焼システムにおいて、
前記提示部は、さらに、
前記点火装置が作動してから前記火炎検出信号の値が所定値を超えるまでの時間を着火遅れ時間とし、この着火遅れ時間の数回分の履歴を提示する
ことを特徴とする燃焼システム。
【請求項６】
請求項１に記載された燃焼システムにおいて、
前記提示部は、さらに、
前記燃焼装置におけるこれまでの着火回数、燃焼時間、運転時間を提示する
ことを特徴とする燃焼システム。
【請求項７】
請求項１に記載された燃焼システムにおいて、
前記提示部は、さらに、
前記点火装置が作動してから所定時間経過後の前記火炎検出信号の値を提示する
ことを特徴とする燃焼システム。
【請求項８】
請求項１に記載された燃焼システムにおいて、
前記提示部は、さらに、
前記点火装置が作動してから前記火炎検出信号の値が所定値を超えるまでの時間を着火遅れ時間とし、前記火炎検出信号の値の変化を示す波形の数回分の履歴を前記所定値を示すラインとともに重ね合わせて提示する
ことを特徴とする燃焼システム。
【請求項９】
請求項１〜８の何れか１項に記載された燃焼システムにおいて、
前記提示部は、
前記燃焼制御のトレンドデータを画面上にグラフ表示する
ことを特徴とする燃焼システム。
【発明の詳細な説明】
【技術分野】
【０００１】
本発明は、燃焼装置の運転を制御するとともにその燃焼装置の運転の制御状態を監視する燃焼システムに関する。
【背景技術】
【０００２】
図６に燃焼装置の運転を制御する燃焼制御装置を用いた燃焼システムの一例を示す（例えば、特許文献１参照）。この燃焼システム２００は、燃焼機器１と、燃焼制御装置２(２Ｂ)と、燃料流路３と、空気流路４とを備えている。
【０００３】
燃焼機器１は、燃焼室５と、この燃焼室５内を加熱するメインバーナ６と、このメインバーナ６を点火するパイロットバーナ７と、このパイロットバーナ７を点火する点火装置（ＩＧ）８と、バーナ（パイロットバーナ７およびメインバーナ６）の火炎の強さを検出する火炎検出器９と、燃焼室５内の温度を検出する温度センサ１０とを備えている。
【０００４】
燃料流路３は、燃焼機器１に燃料を供給するための流路であり、外部から燃料が供給される主流路３ａと、主流路３ａから分岐した第１の流路３ｂおよび第２の流路３ｃとから構成されている。第１の流路３ｂはメインバーナ６に接続され、第２の流路３ｃはパイロットバーナ７に接続されている。また、主流路３ａにはガス圧スイッチ１５が設けられ、第１の流路３ｂには安全遮断弁１１，１２が設けられ、第２の流路３ｃには安全遮断弁１３，１４が設けられている。
【０００５】
空気流路４は、一端がブロワ１６に接続され、他端が第１の流路３ｂに接続されている。ブロワ１６から吐出された空気（エアー）は、第１の流路３ｂを介して燃料（ガス）とともにメインバーナ６に供給される。また、空気流路４には、風圧スイッチ（エアーフロースイッチ）１７やダンパ１８が設けられている。
【０００６】
燃焼制御装置２(２Ｂ)は、火炎検出器９からの火炎検出信号（バーナの火炎の強さを示す信号）、温度センサ１０からの温度検出信号を入力とし、安全遮断弁１１〜１４や点火装置８、ブロワ１６、ダンパ１８などに対して制御信号を出力する。これにより、図中その構成要素を１点鎖線で囲んで示す燃焼装置１９の運転が制御される。
【０００７】
なお、燃焼装置１９の種類によっては、メインバーナ６の点火が終わればパイロットバーナ７の火炎を消すタイプ、メインバーナ６の点火後もパイロットバーナ７の火炎を継続するタイプなどがあり、火炎検出器９は、前者のタイプでは、最初にパイロットバーナ７の火炎の強さを検出し、その後、メインバーナ６の火炎の強さを検出する。後者のタイプでは、パイロットバーナ７とメインバーナ６の火炎の強さを合わせて検出する。また、パイロットバーナ７を備えず、メインバーナ６のみとするタイプなどもある。本明細書では、パイロットバーナ７もメインバーナ６もバーナと呼び、そして火炎検出器９が検出する火炎をバーナの火炎と呼ぶ。図６は、メインバーナ６の点火後もパイロットバーナ７の火炎を継続するタイプとされており、火炎検出器９はパイロットバーナ７およびメインバーナ６の火炎をバーナの火炎として検出する。
【０００８】
また、燃焼制御装置２(２Ｂ)は、ガス圧スイッチ１５や風圧スイッチ１７、火炎検出器９などの状態を監視し、異常を検出した時に、安全遮断弁１１〜１４を閉とし、バーナへの燃料の供給を遮断する。
【０００９】
この燃焼システム２００において、燃焼装置１９の起動から正常燃焼に至るまでの動作順序は、燃焼シーケンスとして定められている。例えば、燃焼装置１９の起動から正常燃焼に至るまでの動作順序として「スタートチェック」、「プレパージ」、「点火待機」、「イグニッショントライアル」、「パイロットトライアル」、「メイントライアル」、「正常燃焼」というように、各燃焼シーケンスの時間帯が定められている。
【００１０】
このような燃焼システムに対し、特許文献２には、燃焼制御装置からメンテナンスマンの在駐する遠隔監視装置に、異常発生時点の規定時間前からその異常発生時点までの間の燃焼制御情報を燃焼制御のトレンドデータとして送り、遠隔監視装置の画面（監視画面）上にグラフ表示することについて示されている。このグラフ表示される燃焼制御のトレンドデータを見ることにより、メンテナンスマンは、警報発生時点における燃焼装置の運転の制御状態を詳細に検討することが可能となって、警報原因を詳しく解析することができるようになる。
【先行技術文献】
【特許文献】
【００１１】
【特許文献１】特開２０１１−２０８９２１号公報
【特許文献２】特開２０００−１２１０４６号公報
【発明の概要】
【発明が解決しようとする課題】
【００１２】
しかしながら、特許文献２に示されている技術では、警報発生時点でしか燃焼制御のトレンドデータを見ることができない。すなわち、正常時の燃焼制御のトレンドデータを見ることはできず、燃焼制御のトレンドデータを異常の早期発見などメンテナンスに役立てることができない。
【００１３】
本発明は、このような課題を解決するためになされたもので、その目的とするところは、燃焼制御のトレンドデータをメンテナンスに役立てることができる燃焼システムを提供することにある。
【課題を解決するための手段】
【００１４】
このような目的を達成するために本発明は、少なくとも点火装置（８）とバーナ（６，７）とを備えた燃焼装置（１９）の運転を制御するとともにその燃焼装置（１９）の運転の制御状態を監視する燃焼システム（１００）であって、点火装置（８）の作動状態を示す信号（Ｓ４）、バーナ（６，７）への燃料の供給状態を示す信号（Ｓ５，Ｓ６）、バーナ（６，７）への空気の供給状態を示す信号（Ｓ２）、バーナ（６，７）の火炎の強さを示す火炎検出信号（Ｓ７）およびこの火炎検出信号（Ｓ７）の値から判断される火炎の有無を示す情報（Ｓ８）を少なくとも含む燃焼制御情報を所定の周期で収集する燃焼制御情報収集部（２−１）と、燃焼制御情報収集部（２−１）によって収集された燃焼制御情報を時系列で蓄積する燃焼制御情報蓄積部（２−２）と、燃焼制御情報蓄積部（２−２）に蓄積されている燃焼制御情報を燃焼制御のトレンドデータとして燃焼装置（１９）の起動から正常燃焼に至るまでの各燃焼シーケンスの時間帯（Ｊ１〜Ｊ７）を示す情報（Ｓ０）と合わせて出力する出力部（２−３）と、出力部（２−３）から出力された燃焼制御のトレンドデータを燃焼装置（１９）の起動から正常燃焼に至るまでの各燃焼シーケンスの時間帯（Ｊ１〜Ｊ７）との関係が分かる形式で提示する提示部（２０−１）とを備えることを特徴とする。
【００１５】
本発明において、燃焼制御情報収集部（２−１）は、点火装置（８）の作動状態を示す信号（Ｓ４）、バーナ（６，７）への燃料の供給状態を示す信号（Ｓ５，Ｓ６）、バーナ（６，７）への空気の供給状態を示す信号（Ｓ２）、バーナ（６，７）の火炎の強さを示す火炎検出信号（Ｓ７）およびこの火炎検出信号（Ｓ７）の値から判断される火炎の有無を示す情報（Ｓ８）を少なくとも含む燃焼制御情報を所定の周期で収集する。
【００１６】
この収集された燃焼制御情報は燃焼制御情報蓄積部（２−２）に時系列で蓄積される。出力部（２−３）は、この燃焼制御情報蓄積部（２−２）に蓄積されている燃焼制御情報を燃焼制御のトレンドデータとして、燃焼装置（１９）の起動から正常燃焼に至るまでの各燃焼シーケンスの時間帯（Ｊ１〜Ｊ７）を示す情報（Ｓ０）と合わせて出力する。提示部（２０−１）は、出力部（２−３）から出力された燃焼制御のトレンドデータを、燃焼装置（１９）の起動から正常燃焼に至るまでの各燃焼シーケンスの時間帯（Ｊ１〜Ｊ７）との関係が分かる形式で提示する。
【００１７】
ここで、例えば、燃焼制御情報蓄積部（２−２）に蓄積されている燃焼制御情報を燃焼制御のトレンドデータとして毎日呼び出し、この呼び出した燃焼制御のトレンドデータを燃焼装置（１９）の起動から正常燃焼に至るまでの各燃焼シーケンスの時間帯（Ｊ１〜Ｊ７）との関係が分かるような形で画面上にグラフ表示させるようにすると、燃焼装置（１９）の起動から正常燃焼に至るまでの燃焼制御情報の変化を各燃焼シーケンス毎に確認することができ、燃焼制御のトレンドデータを異常の早期発見などメンテナンスに役立てることができるようになる。
【００１８】
なお、上記説明では、一例として、発明の構成要素に対応する図面上の構成要素を、括弧を付した参照符号によって示している。
【発明の効果】
【００１９】
本発明によれば、点火装置の作動状態を示す信号、バーナへの燃料の供給状態を示す信号、バーナへの空気の供給状態を示す信号、バーナの火炎の強さを示す火炎検出信号およびこの火炎検出信号の値から判断される火炎の有無を示す情報を少なくとも含む燃焼制御情報を所定の周期で収集し、この収集した燃焼制御情報を燃焼制御情報蓄積部に時系列で蓄積し、この燃焼制御情報蓄積部に蓄積されている燃焼制御情報を燃焼制御のトレンドデータとして燃焼装置の起動から正常燃焼に至るまでの各燃焼シーケンスの時間帯を示す情報と合わせて出力し、この出力された燃焼制御のトレンドデータを燃焼装置の起動から正常燃焼に至るまでの各燃焼シーケンスの時間帯との関係が分かる形式で提示するようにしたので、燃焼装置の起動から正常燃焼に至るまでの燃焼制御情報の変化を各燃焼シーケンス毎に確認することができ、燃焼制御のトレンドデータを異常の早期発見などメンテナンスに役立てることができるようになる。
【図面の簡単な説明】
【００２０】
【図１】図１は、本発明の実施の形態に係る燃焼システムの要部を示す図である。
【図２】図２は、この燃焼システムにおける燃焼制御のトレンドデータの表示例を示す図である。
【図３】図３は、燃焼制御のトレンドデータのグラフと合わせて表示される表を示す図である。
【図４】図４は、火炎検出信号の値（フレーム電圧）の変化を示す波形の数回分の履歴を重ね合わせて表示するようにした例を示す図である。
【図５】図５は、インターネットを介して接続された遠隔地の監視装置（遠隔監視装置）に燃焼制御のトレンドデータを送るようにした例を示す図である。
【図６】図６は、燃焼装置の運転を制御する燃焼制御装置を用いた燃焼システムの一例を示す図である。
【発明を実施するための形態】
【００２１】
以下、本発明の実施の形態を図面に基づいて詳細に説明する。図１に本発明の実施の形態に係る燃焼システム１００の要部を示す。
【００２２】
この燃焼システム１００の基本構成は図６に示した従来の燃焼システム２００と同じであるが、燃焼制御装置２(２Ａ)に「燃焼制御情報を収集する機能」と「収集した燃焼制御情報を蓄積する機能」と「蓄積した燃焼制御情報を燃焼制御のトレンドデータとして出力する機能」とを付加している。また、この燃焼システム１００では、燃焼制御装置２(２Ａ)から出力される燃焼制御のトレンドデータを監視装置２０へ送り、監視装置２０の画面（監視画面）上にグラフ表示させるようにしている。
【００２３】
この燃焼システム１００において、燃焼制御装置２(２Ａ)は、プロセッサや記憶装置からなるハードウェアと、これらのハードウェアと協働して各種機能を実現させるプログラムとによって実現され、本実施の形態特有の機能部として、燃焼制御情報収集部２−１と燃焼制御情報蓄積部２−２と出力部２−３と燃焼シーケンス時間帯記憶部２−４とを備えている。
【００２４】
なお、図１には、燃焼制御装置２(２Ａ)に付加されている本実施の形態特有の機能部だけを抜粋して示している。また、燃焼装置１９の基本構成については、図６に示した構成を流用するものとする。
【００２５】
この燃焼制御装置２(２Ａ)において、燃焼制御情報収集部２−１は、燃焼制御情報を所定の周期（例えば、０.１ｓ単位）で収集する。この実施の形態では、燃焼装置１９の運転状態を示す入力・起動信号Ｓ１、メインバーナ６への空気の供給状態を示すエアーフロースイッチ信号Ｓ２、ブロワ１６の作動状態を示す出力・ブロワ信号Ｓ３、点火装置８の作動状態を示す信号Ｓ４（入力・ＩＧリレーフィードバック）、パイロットバーナ７への燃料の供給状態を示す信号Ｓ５（入力・ＰＶリレーフィードバック）、メインバーナ６への燃料の供給状態を示す信号Ｓ６（入力・ＭＶリレーフィードバック）、バーナ（パイロットバーナ７およびメインバーナ６）の火炎の強さを示す火炎検出信号Ｓ７などを燃焼制御情報として、例えば、０.１ｓ単位で収集する。
【００２６】
なお、燃焼制御装置２(２Ａ)は、火炎検出信号Ｓ７の値から火炎の有無や不着火、断火（失火）などを判断する。燃焼制御情報収集部２−１が収集する燃焼制御情報には、燃焼制御装置２(２Ａ)が判断する火炎の有無を示す情報Ｓ８、不着火を示す情報Ｓ９、断火を示す情報Ｓ１０なども含まれる。
【００２７】
燃焼制御情報蓄積部２−２には、燃焼制御情報収集部２−１によって収集された燃焼制御情報が時系列で蓄積される。燃焼シーケンス時間帯記憶部２−４には、燃焼制御装置２(２Ａ)が実行する燃焼装置１９の起動から正常燃焼に至るまでの各燃焼シーケンスの時間帯を示す情報Ｓ０が記憶されている。
【００２８】
出力部２−３は、燃焼制御情報蓄積部２−２に蓄積されている燃焼制御情報を燃焼制御のトレンドデータとして読み出し、この読み出した燃焼制御のトレンドデータを燃焼シーケンス時間帯記憶部２−４に記憶されている各燃焼シーケンスの時間帯を示す情報Ｓ０と合わせて監視装置２０に出力する。
【００２９】
監視装置２０は、ディスプレイに監視画面を表示する表示部２０−１を備え、この表示部２０−１が表示する監視画面上に燃焼制御装置２(２Ａ)からの燃焼制御のトレンドデータを各燃焼シーケンスの時間帯との関係が分かる形式でグラフ表示する。
【００３０】
図２に燃焼制御のトレンドデータの表示例を示す。この例では、燃焼装置１９の起動から正常燃焼に至るまでの各燃焼シーケンスの時間帯を示すグラフを＃０とし、このグラフ＃０における各燃焼シーケンスの時間帯を色分けして示している。
【００３１】
このグラフ＃０において、Ｊ１は「スタートチェック」の時間帯、Ｊ２は「プレパージ」の時間帯、Ｊ３は「点火待機」の時間帯、Ｊ４は「イグニッショントライアル」の時間帯、Ｊ５は「パイロットトライアル」の時間帯、Ｊ６は「メイントライアル」の時間帯、Ｊ７は「正常燃焼」の時間帯を示している。これらの時間帯Ｊ１〜Ｊ７は各燃焼シーケンスの時間帯を示す情報Ｓ０から得られる。
【００３２】
また、このグラフ＃０における各燃焼シーケンスの時間帯Ｊ１〜Ｊ７との関係が分かるように、時間軸を合わせて、入力・起動信号Ｓ１から得られる燃焼装置１９の運転状態を示すグラフを＃１として、エアーフロースイッチ信号Ｓ２から得られるメインバーナ６への空気の供給状態を示すグラフを＃２として、出力・ブロワ信号Ｓ３から得られるブロワ１６の作動状態を示すグラフを＃３として示している。
【００３３】
また、信号Ｓ４から得られる点火装置８の作動状態を示すグラフを＃４として、信号Ｓ５から得られるパイロットバーナ７への燃料の供給状態を示すグラフを＃５として、信号Ｓ６から得られるメインバーナ６への燃料の供給状態を示すグラフを＃６として、火炎検出信号Ｓ７から得られるバーナの火炎の強さを示すグラフを＃７として、火炎の有無を示す情報Ｓ８から得られる火炎の有無を示すグラフを＃８として示している。
【００３４】
なお、この例では、不着火や断火は生じておらず、不着火を示す情報Ｓ９から得られる不着火を示すグラフ＃９，断火を示す情報Ｓ１０から得られる断火を示すグラフ＃１０は表れていない。また、バーナの火炎の強さを示すグラフ＃７については、火炎検出信号Ｓ７の値（フレーム電圧）の変化を波形として示している。
【００３５】
また、本実施の形態では、図２に示した燃焼制御のトレンドデータのグラフＧ１と合わせて表Ｇ２（図３）を表示するようにし、この表Ｇ２内に点火装置８が作動してから火炎検出信号Ｓ７の値が所定値ｔｈを超えるまでの時間ｔｄを着火遅れ時間として数値で示すようにしている。
【００３６】
また、表Ｇ２内には、燃焼装置１９におけるこれまでの着火回数、燃焼時間、運転時間、着火遅れ時間の数回分の履歴（過去の着火遅れ時間）、点火装置８が作動してから所定時間経過後の火炎検出信号Ｓ７の値（イグニッショントライアル開始から一定時間までのフレーム電圧）も数値として示される。
【００３７】
なお、表Ｇ２内に示される情報は、燃焼制御装置２(２Ａ)で求められ、燃焼制御装置２(２Ａ)の内部のメモリに保存されており、出力部２−３からの燃焼制御のトレンドデータと合わせて監視装置２０に送られてくる。
【００３８】
この燃焼システム１００において、ユーザは例えば毎日、グラフＧ１や表Ｇ２を監視装置２０の画面（監視画面）上に表示させる。これにより、燃焼装置１９の起動から正常燃焼に至るまでの燃焼制御情報の変化を各燃焼シーケンス毎に確認することができ、グラフＧ１や表Ｇ２に示される情報を異常の早期発見などメンテナンスに役立てることができるようになる。
【００３９】
すなわち、グラフＧ１によって、燃焼装置１９の起動から正常燃焼に至るまでの各燃焼シーケンス毎における負荷の状態やフレーム電圧の上下の振れなどを時系列で確認することができ、火付けが悪い、火炎状態が不安定などの予兆をとらえ、メンテナンスに役立てることができる。
【００４０】
また、表Ｇ２によって、着火遅れ時間、着火回数、燃焼時間、運転時間、着火遅れ時間の変化、イグニッショントライアル開始から一定時間までのフレーム電圧の変化などを確認することができ、機器の部品の交換時期／故障予知などのメンテナンスに役立てることができる。
【００４１】
なお、上述した実施の形態では、着火遅れ時間の履歴を表Ｇ２内に数値で示すものとしたが、図４（ｃ）に示すように、火炎検出信号Ｓ７の値（フレーム電圧）の変化を示す波形の数回分の履歴を重ね合わせて表示するようにしてもよい。なお、図４（ａ）は点火装置８の作動状態を示す信号Ｓ４の変化を示し、図４（ｂ）はパイロットバーナ７への燃料の供給状態を示す信号Ｓ５の変化を示す。また、火炎検出信号Ｓ７の値の変化を示す波形に対しては、所定値ｔｈを示すラインＬ１も火炎レベルとして合わせて表示するようにする。
【００４２】
このように、火炎検出信号Ｓ７の値の変化を示す波形の数回分の履歴を所定値ｔｈを示すラインＬ１とともに重ね合わせて表示することにより、点火装置８が作動してから火炎検出信号Ｓ７の値が所定値ｔｈを超えるまでの時間（着火遅れ時間）ｔｄの変化を、数値ではなく、長さとして捉えることができる。この例では、着火遅れ時間ｔｄが徐々に長くなっており、この着火遅れ時間ｔｄの長さの変化から現在の状況を感覚的に捉えることができる。
【００４３】
また、上述した実施の形態では、燃焼装置１９の起動から正常燃焼に至るまでの各燃焼シーケンスの時間帯Ｊ１〜Ｊ７についてその全区間の燃焼制御情報の変化をグラフ表示するようにしているが、例えば「プレパージ」の時間帯Ｊ２は長いので、この「プレパージ」の時間帯Ｊ２の途中の区間を省略するなどしてもよい。
【００４４】
また、上述した実施の形態では、燃焼制御装置２(２Ａ)とは別に監視装置２０を設け、この監視装置２０の画面（監視画面）上に燃焼制御のトレンドデータを各燃焼シーケンスの時間帯との関係が分かる形式でグラフ表示するようにしたが、燃焼制御装置２(２Ａ)内に監視画面を表示する表示部を設け、この表示部が表示する監視画面に燃焼制御のトレンドデータを各燃焼シーケンスの時間帯との関係が分かる形式でグラフ表示するようにしてもよい。
【００４５】
また、図５に示すように、燃焼制御装置２(２Ａ)内に送信部２−５を設け、この送信部２−５からインターネット２１を介して、遠隔地の監視装置（遠隔監視装置）２０に燃焼制御のトレンドデータと各燃焼シーケンスの時間帯を示す情報Ｓ０とを合わせて送り、監視装置２０の画面（監視画面）上に燃焼制御のトレンドデータを各燃焼シーケンスの時間帯との関係が分かる形式で表示させるようにしてもよい。
【００４６】
また、上述した実施の形態では、監視装置２０の画面（監視画面）上に燃焼制御装置２(２Ａ)からの燃焼制御のトレンドデータを各燃焼シーケンスの時間帯との関係が分かる形式でグラフ表示するようにしたが、監視画面に表示するのではなく、プリンタによって紙面に印刷するようにしてもよい。
【００４７】
また、監視装置２０をパーソナルコンピュータ（パソコン）とし、このパソコンに燃焼制御装置２(２Ａ)からの情報を保存させるようにしてもよい。また、正常燃焼している時のデータをパソコンに保存しておき、異常が発生したときのデータと比較することで、現在、燃焼装置１９に何が起きているのかの検証を行うことも可能である。
【００４８】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００４９】
１…燃焼機器、２（２Ａ）…燃焼制御装置、２−１…燃焼制御情報収集部、２−２…燃焼制御情報蓄積部、２−３…出力部、２−４…燃焼シーケンス時間帯記憶部、２−５…送信部、３…燃料流路、４…空気流路、５…燃焼室、６…メインバーナ、７…パイロットバーナ、８…点火装置、９…火炎検出器、１０…温度センサ、１１〜１４…安全遮断弁、１５…ガス圧スイッチ、１６…ブロワ、１７…風圧スイッチ（エアーフロースイッチ）、１８…ダンパ、１９…燃焼装置、２０…監視装置、２０−１…表示部、３０…インターネット、２００…燃焼システム。
【図１】
2017138018.tif 000003
【図２】
2017138018.tif 000004
【図３】
2017138018.tif 000005
【図４】
2017138018.tif 000006
【図５】
2017138018.tif 000007
【図６】
2017138018.tif 000008